(57)【特許請求の範囲】
【請求項１】
前面枠の前面側に打球供給皿と下部貯留皿とを設けると共に、前面枠の裏面側に打球供給皿のパチンコ球を整列して導き出す供給通路と該供給通路のパチンコ球を１個ずつ発射レールの発射部に供給する打球供給装置とを設け、
前記供給通路の終端部分に球抜口を開設すると共に、該球抜口には常に付勢されて球抜口を閉じる位置と球抜き操作によって球抜口を開放する位置とに往復移動自在な可動底板を配設し、
前記打球供給装置は上下方向に回動するフリッカー部材を備え、該フリッカー部材は下方に回動されたとき前記供給通路から流入するパチンコ球を上面で受け止めて待機させる球止部と上方に回動されたとき球止部から落下するパチンコ球を受け入れて保持し、かつ下方に回動されたときそのパチンコ球を発射レールの発射部に供給する球受部とを一体に設けて構成されており、
前記可動底板には、球抜口を開放する位置でフリッカー部材の球止部上面で待機するパチンコ球を押し出して球抜口に落下させる押片部を設けてなることを特徴とするパチンコ機。
【発明の詳細な説明】
【０００１】
【発明の属する技術分野】
本発明は、前面枠の前面に打球供給皿と下部貯留皿とを設けると共に、前面枠の裏面側に打球供給皿のパチンコ球を１個ずつ発射レールの発射部に供給する打球供給装置を設けてなるパチンコ機に関し、特に打球供給皿のパチンコ球を下部貯留皿に球抜きする際に打球供給装置内にパチンコ球が残らないようにすることができるようなパチンコ機に関するものである。
【０００２】
【従来の技術】
従来のパチンコ機においては、前面枠の前面側に打球供給皿と下部貯留皿とを設け、打球供給皿のパチンコ球を前面枠の裏面側に設けられた打球供給装置に導いて１個ずつ発射レールの発射部に供給するようにされている。一方、打球供給皿の底部には球抜孔が設けられると共に、該球抜孔にスライド板が配設されており、該スライド板を移動させて球抜孔を開放することにより打球供給皿のパチンコ球を下部貯留皿に抜き取ることができるようになっている。
【０００３】
【発明が解決しようとする課題】
ところで、上記したパチンコ機にあっては、打球供給皿のパチンコ球を底部の球抜孔から直接に下部貯留皿へ抜き出すようにしているため、打球供給装置に導かれたパチンコ球は抜き取られないでそのまゝ残されてしまうという問題点があった。そして、打球供給装置内に残されたパチンコ球を抜き取るためには例えばその残されたパチンコ球を遊技盤面に打ち込まないように弱い弾発力で発射して発射レールのファール口から下部貯留皿に戻して回収する等遊技者に面倒な操作を行わせる必要があった。
【０００４】
そこで本発明は、打球供給皿のパチンコ球を下部貯留皿に抜き取る際に打球供給装置内に残されたパチンコ球を同時に下部貯留皿へ回収することができるようなパチンコ機を提供することを目的としている。
【０００５】
【課題を解決するための手段】
上記目的を達成するために、本発明のパチンコ機は、前面枠の前面側に打球供給皿と下部貯留皿とを設けると共に、前面枠の裏面側に打球供給皿のパチンコ球を整列して導き出す供給通路と該供給通路のパチンコ球を１個ずつ発射レールの発射部に供給する打球供給装置とを設け、前記供給通路の終端部分に球抜口を開設する。そし手、球抜口には常に付勢されて球抜口を閉じる位置と球抜き操作によって球抜口を開放する位置とに往復移動自在な可動底板を設ける。なお、球抜口の下方には通路部を設け、下部貯留皿に接続している球抜通路を通路部に接続させるようにする。
【０００６】
一方、前記打球供給装置は、供給通路の最先端部のパチンコ球が流入する流入部と打球杆の発射動作に関連して上下方向に回動するフリッカー部材とを備える。このフリッカー部材は下方に回動されたとき流入部から流入するパチンコ球を上面で受け止めて待機させる球止部と上方に回動されたとき球止部から落下するパチンコ球を受け入れて保持し、かつ下方に回動されたときそのパチンコ球を発射レールの発射部に供給する球受部とを一体に有する。このため、打球供給皿のパチンコ球は供給通路を流下してその最先端部のパチンコ球が流入部からフリッカー部材の球止部上面に流入し、該球止部上面で受け止められて待機する。そして、この状態で打球杆の発射動作に関連してフリッカー部材が上下に回動することによって球止部上面で受け止められるパチンコ球が１個ずつ発射レールの発射部に供給される。
【０００７】
また、前記可動底板には、球抜口を開放する位置でフリッカー部材の球止部上面で受け止められて待機するパチンコ球を流入部から球抜口に落下させる押片部を設けている。このため、球抜き操作によって可動底板を付勢に抗して球抜口を開放する位置に移動させると、打球供給皿のパチンコ球は供給通路を流下して球抜口から下方の通路部に落下し、さらに球抜通路を通って下部貯留皿に抜き取られる。また、フリッカー部材の球止部上面で受け止められて待機しているパチンコ球は可動底板の押片部によって流入部から球抜口に押し出されて打球供給皿のパチンコ球と一緒に下部貯留皿に回収されることになる。
【０００８】
【発明の実施の形態】
次に本発明の実施の形態を図面に従い説明する。図１は本発明に係るパチンコ機の正面図、図２はガラス枠及び前面枠を開放して示すパチンコ機の下部部分の斜視図である。図において、１はパチンコ機の前面枠、２は前面枠１の後面に着脱自在に装着される遊技盤であって、該遊技盤２の右下側に発射レール３が装着されている。４は発射レール３の発射部５に先端が臨む打球杆、６は発射レール３の前面を覆う前面板であって、遊技盤２の上方部を覆うガラス扉枠７と共に前面枠１の一側に開閉自在に装着されている。前記前面板６の表面には打球供給皿８が設けられている。また、前面枠１の下部前面には打球供給皿８の余剰球を貯留する下部貯留皿９と操作ハンドル１０が設けられている。
【００１１】
前記打球供給皿８は図３に示すように本体部１１と該本体部１１の前面外側を覆うカバー部材１２とから構成されている。本体部１１はパチンコ球を貯留する皿部１３と該皿部１３の上縁部分を囲う飾板部１４及び皿部１３の下方に延出する側板部１５とを有する。前記皿部１３は底部が一方に緩やかに下り傾斜しその傾斜下部にパチンコ球が一列に整列される整流部１６が形成されており、該整流部１６の下流端が位置する前面板６には皿部１３のパチンコ球を前面板６の裏側に流出させる上部通孔１７が開設されている。また、前面板６には側板部１５に形成された球抜通路１８に連通する下部通孔１９が開設されている。
【００１２】
一方、前面板６の裏側には打球供給装置２０が組み込まれた通路構成枠２１が配設される。この通路構成枠２１は図４に示すように前面板６に開設された上部通孔１７に合致する流入口２２及び下部通孔１９に合致する流出口２３が設けられた板状体２４ａと前面が開口した中空状の箱体２４ｂとに二分割して形成し、そのそれぞれを合体してビス止め２５，２５することにより一体化される。この通路構成枠２１の内部には流入口２２と連通状に供給通路２６が形成されており、該供給通路２６の終端と打球供給装置２０との間に球抜口２７を設けている。また、供給通路２６の下方には球抜口２７から落下するパチンコ球を受けて流出口２３に流出させる通路部２８が形成されている。
【００１３】
前記球抜口２７には該球抜口２７を開閉する可動底板２９が設けられている。この可動底板２９は打球供給皿８の側板部１５に形成された箱状のガイド部３０に左右方向へ往復移動自在に支持されており、その前側部分を前面板６に開設されたガイド長孔３１ａ及び板状体２４ａの長溝３２ａから通路構成枠２１の内部に臨ませて供給通路２６の一部を構成している。
【００１４】
前記打球供給装置２０は図４ないし図６に示すように供給通路２６の最先端部のパチンコ球が流入する流入部３３と発射レール３の発射部５に対応する開口部３４と上下方向に回動するフリッカー部材３５とを備える。このフリッカー部材３５は両側部に発射レール３と平行な回動支軸３６，３６が一体に突設されており、該回動支軸３６，３６を開口部３４に形成された軸受凹部３７，３７に嵌めて上下に回動自在に支持され、かつ自然状態では図６（イ）実線のように下方に回動するように重心が置かれている。また、フリッカー部材３５は流入部３３から流入する供給通路２６の最先端部のパチンコ球を上面で受け止めて待機させる球止部３８と、上方に回動されたとき球止部３８から落下するパチンコ球を受け入れて待機し、かつ下方に回動されたときそのパチンコ球を開口部３４から発射レール３の発射部５に送り出す半円状の球受部３９と、回動支軸３６，３６と平行であり、かつ通路構成枠２１の外方へ突出する係合ピン４０とを一体に設けて構成される。
【００１５】
なお、前記係合ピン４０は図５に示すように発射レール３の下方であり、かつ遊技盤２の前面側に軸４１で回動自在に軸支された連動バー４２の押上部４３に当接可能なようになっている。また、連動レバー４２は押上部４３の一端から下方に垂下するレバー部４４を一体に備え、このレバー部４４が打球杆４に固着された引掛杆４５と係合可能なように位置されている。
【００１６】
一方、打球供給皿８の側板部１５前面には図３及び図９に示すようにレバー部材４６が軸４７により揺動自在に軸支されると共に、操作部材４８が左右方向へ摺動自在に設けられている。前記レバー部材４６は軸４７より上方と下方に長孔４９及び５０が形成されており、該下方の長孔４９に可動底板２９の前側面に突設した突起５１を臨ませている。また、レバー部材４６にはコイルばね５２が連結されており、常に可動底板２９を図９実線のように球抜口２７を閉じる位置に付勢している。前記操作部材４８は前側面に突設した突起５７をレバー部材４６の上方の長孔５０に臨ませると共に、打球供給皿８の飾板部１４に開設した透孔５３から上方に突出されており、該操作部材４８をスライドさせてレバー部材４６を図９鎖線のように回動させることによって可動底板２９を球抜口２７を開放する位置に移動させることができるようになっている。
【００１７】
前記可動底板２９には打球供給装置２０のフリッカー部材３５の球止部３８上方に出入自在な押片部５４が一体に設けられている。この押片部５４は前面板６に開設されたガイド長孔３１ｂ及び板状体２４ａの長溝３２ｂから通路構成枠２１の内部に臨まされており図５及び図８（イ）に示すように可動底板２９が球抜口２７を閉じる位置に付勢されているとき打球供給装置２０の側方に位置し、図８（ロ）に示すように可動底板２９が球抜口２７を開放する位置に移動されると打球供給装置２０内に突入してフリッカー部材３５の球止部３８上面で待機するパチンコ球を流入部３３から球抜口２７に押し出して落下させるようになっている。
【００１８】
次に、このように構成したパチンコ機の作用を説明する。打球供給皿８に貯留されるパチンコ球は整流部１６によって一列に整列されながら前面板６の上部通孔１７から流入口２２を経て通路構成枠２１内の供給通路２６に流入する。そして、供給通路２６の最先端部のパチンコ球Ｂは流入部３３から打球供給装置２０に流入しフリッカー部材３５の球止部３８上面で受けられて待機する（図６（イ），図８（イ）参照）。
【００１９】
この状態で打球杆４が図５鎖線のように発射準備位置に回動されると引掛杆４５によって連動レバー４２のレバー部４４が引寄せられて該連動レバー４２が軸４１を支点として上方へ回動し、これの押上部４３がフリッカー部材３５の係合ピン４０を上方へ押し上げる。このため、フリッカー部材３５が回動支軸３６，３６を支点として図６（ロ）のように上方へ回動し、これによつて球止部３８上面で待機していたパチンコ球Ｂは下方に落下して球受部３９に受けられる。そして、打球杆４が図５実線のように発射動作位置に回動するとフリッカー部材３５は連動レバー４２による係合ピン４０の押し上げが解除されて自重とパチンコ球Ｂの重量で図６（ロ）鎖線のように下方に回動し、球受部３９のパチンコ球Ｂを開口部３４から発射レール３の発射部５に送り出す。同時に後続する供給通路２６の最先端部のパチンコ球Ｂ１を球止部３８上面で受け止めて待機させるもので、その後は打球杆４の往復回動ごとに供給通路２６の最先端部のパチンコ球が１個ずつ確実に発射レール３の発射部５に供給される。
【００２０】
しかして、打球供給皿８内のパチンコ球を下部貯留皿９に抜き取るには操作部材４８を図９鎖線のようにスライドしてレバー部材４６をコイルばね５２の付勢に抗して回動させる。これによって、可動底板２９がレバー部材４６の長孔５０に係合する突起５７を介して同図矢印方向に移動し図８（ロ）に示すように球抜口２７を開放する。このため、打球供給皿８内のパチンコ球は供給通路２６を通過して球抜口２７から通路部２８、前面板６の下部通孔１９を経て球抜通路１８に流出し、さらに前面板６に開設した流出孔５５から遊技盤前面のシュート５６を通って下部貯留皿９に排出される。また、打球供給装置２０に導かれてフリッカー部材３５の球止部３８上面に残こされているパチンコ球Ｂは図８（ロ）に示すように可動底板２９の押片部５４によって流入部３３から球抜口２７に押し出されて通路部２８に落下し打球供給皿８内のパチンコ球と同じように下部貯留皿９に排出される。
【００２１】
そして、打球供給皿８内のパチンコ球を下部貯留皿９に抜き取った後、操作部材４８のスライド操作を解除すると、コイルばね５２の付勢によってレバー部材４６が元の状態に復帰し、同時に可動底板２９も図８（イ）に示す位置に移動して球抜口２７を閉じる。なお、球抜きを途中で停止する場合に、可動底板２９と打球供給装置２０の流入部３３との間でパチンコ球が挟まれるようなことがあっても該パチンコ球はフリッカー部材３５の球止部３８上面に押し出されることになるため球噛みが起こらず確実に球抜口２９を閉じることができる。
【００２２】
【発明の効果】
以上、説明したところから明らかなように、本発明に係るパチンコ機は、打球供給装置内にパチンコ球を残すことなく打球供給皿のパチンコ球を下部貯留皿に全て抜き取ることができるようにしたものであるから、従来のパチンコ機のように打球供給装置内に残留するパチンコ球を下部貯留皿に回収するための面倒な操作を不要とすることができ、遊技者のサービス向上を図れる。
【図面の簡単な説明】
【図１】本発明に係るパチンコ機の正面図である。
【図２】ガラス枠及び前面板を開放した状態を示すパチンコ機の下部斜視図である。
【図３】打球供給皿部分の分解斜視図である。
【図４】通路構成枠の分解斜視図である。
【図５】通路構成枠部分の断面正面図である。
【図６】（イ），（ロ）は打球供給装置の作用を説明する断面側面図である。
【図７】球抜口と下部貯留皿との関連構成を示す要部の断面側面図である。
【図８】（イ），（ロ）は球抜き作用を説明する断面正面図である。
【図９】球抜き操作部部分の要部正面図である。
【符号の説明】
１        前面枠
３        発射レール
４        打球杆
５        発射部
８        打球供給皿
９        下部貯留皿
２０      打球供給装置
２６      供給通路
２７      球抜口
２９      可動底板
３３      流入部
３５      フリッカー部材
３８      球止部
３９      球受部
５４      押片部
【図１】
0004070830.tif 000002
【図２】
0004070830.tif 000003
【図３】
0004070830.tif 000004
【図４】
0004070830.tif 000005
【図５】
0004070830.tif 000006
【図６】
0004070830.tif 000007
【図７】
0004070830.tif 000008
【図８】
0004070830.tif 000009
【図９】
0004070830.tif 000010